(57)【要約】【課題】  原稿サイズ検知をオペレータが操作パネルにて用紙幅を設定すると原稿幅を認識し、分割された密着型イメージセンサの電源供給を個別に制御することにより、きめ細かく省電力化を図ることが可能な画像読取装置を提供する。【解決手段】  この画像読み取り装置１００は、原稿の挿入を検知する原稿挿入検知センサ１１と、原稿の先端及び後端を検知する原稿レジスト検知センサ１２と、一連のプロセスを実行制御するシステム制御装置２０と、このシステム制御装置２０に用紙幅の設定を行う操作手段としての操作部２２と、原稿の読み取り制御を行っている読み取り制御回路１５と、原稿搬送の信号を送っている駆動制御回路１３と、原稿搬送を行っているスキャナ駆動装置１４と、原稿の読み取りを行っている分割した密着イメージセンサＣＩＳ１６ａ〜ＣＩＳ１６ｅと、ＣＩＳのＬＥＤを点灯させるために電源を供給する電源装置１９と、を備えて構成されている。【選択図】  図１
2006067033.tif 000002
【特許請求の範囲】
【請求項１】
原稿画像を密着イメージセンサにより読取る画像読取装置であって、
原稿搬送方向に沿って千鳥格子状に配置した複数の密着イメージセンサと、各密着イメージセンサ毎に配置され、前記各密着イメージセンサが読取る領域を照明する照明手段と、原稿が挿入されたことを検知する原稿挿入検知センサと、原稿の有無を検知する原稿レジストセンサと、前記原稿のサイズを指定する操作部と、該操作部の指示に基づいて前記照明手段の点灯制御及び前記密着イメージセンサから読取られた原稿画像の処理制御を行う制御手段と、を備え、
前記制御手段は、前記操作部により指示された原稿サイズに対応する領域を照明するように前記照明手段を制御することを特徴とする画像読取装置。
【請求項２】
異なるサイズの原稿の一辺の寸法が同じになるように方向を揃えて読取ることにより、前記照明手段は前記操作部により指示された１種類の原稿サイズに対応する領域を照明することで異なるサイズの原稿を読取ることを可能としたことを特徴とする請求項１に記載の画像読取装置。
【請求項３】
前記制御手段は、原稿搬送方向に沿って千鳥格子状に配置した複数の密着イメージセンサに対応する照明手段の点灯を、同じ列に配置した密着イメージセンサ毎に行うように制御することを特徴とする請求項１または２いずれか一項に記載の画像読取装置。
【発明の詳細な説明】
【技術分野】
【０００１】
本発明は、画像読取装置に関し、さらに詳しくは、密着イメージセンサを備えた画像読取装置において、密着イメージセンサと一体化した照明手段を複数に分割して千鳥格子状に配列し、原稿サイズに応じて必要な部分の照明手段を点灯する画像読取装置の省エネ対策に関するものである。
【背景技術】
【０００２】
従来の画像読取装置においては、原稿幅センサの検出出力に基づき、密着イメージセンサ内部の回路により光源の点灯幅を切り換える技術が知られている。例えば特開２００１−３０９１２９公報には、光源と、イメージセンサとを備えた密着型イメージセンサにおいて、読取る原稿幅に応じて光源による点灯幅を変更できるようにした密着型イメージセンサについて開示されている。
【特許文献１】特開２００１−３０９１２９公報
【発明の開示】
【発明が解決しようとする課題】
【０００３】
しかし、原稿幅センサの検出出力に基づき、密着イメージセンサの内部の回路により光源の点灯幅を切り換えるシステムでは、オペレータが操作パネルにて用紙幅及び自動サイズを設定すると、原稿幅を認識し、分割された密着型イメージセンサの電源供給を個別に制御することに比べてシステム構成が複雑であり、消費電力が大きいといった問題点がある。
また特許文献１に開示されている従来技術は、原稿サイズに応じて密着イメージセンサの照明を切替えるものであるが、照明が直線状に配列されているため、原稿のサイズ単位の切替は可能であるが、部分的に細かく切替えることができず、省エネには限界がある。
本発明は、かかる課題に鑑み、オペレータが操作パネルから用紙幅を設定することにより、分割された密着型イメージセンサの電源供給を個別に制御して、きめ細かく省電力化を図ることが可能な画像読取装置を提供することを目的とする。
また他の目的は、異なる幅の原稿サイズを読取る場合、異なるサイズ原稿の一辺の寸法が同じになるように方向を揃えることにより、照明手段の制御の簡略化を図ることである。
また他の目的は、原稿搬送時、千鳥格子状に配置した複数の密着型イメージセンサのＬＥＤの点灯時間の制御を行うことにより、更に省電力化を図ることである。
【課題を解決するための手段】
【０００４】
本発明はかかる課題を解決するために、請求項１は、原稿画像を密着イメージセンサにより読取る画像読取装置であって、原稿搬送方向に沿って千鳥格子状に配置した複数の密着イメージセンサと、各密着イメージセンサ毎に配置され、前記各密着イメージセンサが読取る領域を照明する照明手段と、原稿が挿入されたことを検知する原稿挿入検知センサと、原稿の有無を検知する原稿レジストセンサと、前記原稿のサイズを指定する操作部と、該操作部の指示に基づいて前記照明手段の点灯制御及び前記密着イメージセンサから読取られた原稿画像の処理制御を行う制御手段と、を備え、前記制御手段は、前記操作部により指示された原稿サイズに対応する領域を照明するように前記照明手段を制御することを特徴とする。
本発明の特徴は複数の密着イメージセンサを複数に分割して千鳥格子状に配置し、操作部から指定された原稿サイズに基づいて、分割した密着イメージセンサの照明を必要な部分だけ点灯するものである。
請求項２は、異なるサイズの原稿の一辺の寸法が同じになるように方向を揃えて読取ることにより、前記照明手段は前記操作部により指示された１種類の原稿サイズに対応する領域を照明することで異なるサイズの原稿を読取ることを可能としたことを特徴とする。
本発明は照明手段の制御を簡略化するために、サイズが異なる複数の原稿の一辺の寸法が同じになるように方向を揃えて読取るものである。例えば、原稿サイズがＡ２とＡ３の場合、ＪＩＳ規格でＡ２は４２０ｍｍ×５９４ｍｍ、Ａ３は２９７ｍｍ×４２０ｍｍでＡ２の幅方向とＡ３の長さ方向が一致する。このように一致する方向を揃えて読取るようにすれば、異なるサイズの原稿を１種類の原稿サイズに対応する領域を照明することにより、異なるサイズの原稿を読取ることができる。
請求項３は、前記制御手段は、原稿搬送方向に沿って千鳥格子状に配置した複数の密着イメージセンサに対応する照明手段の点灯を、同じ列に配置した密着イメージセンサ毎に行うように制御することを特徴とする。
本発明の密着イメージセンサは、所定の長さ単位で分割され、且つ原稿搬送方向に対して千鳥格子状に配列されている。この理由は、もし、直線状に配列した場合は、原稿サイズ単位での切替は可能であるが、それより細かい切替はできない。そこで本発明では、細かく分割して千鳥格子状に配列することにより、より細かく点灯サイクルを分割できるようにした。
【発明の効果】
【０００５】
請求項１の発明によれば、制御手段が操作部により指示された原稿サイズに対応する領域を照明するように照明手段を制御するので、無駄な照明を無くし照明に必要な電力を最小限にすることができる。
また請求項２では、異なる原稿サイズの同じ寸法の一辺を揃えて読取るので、照明手段の制御を簡略化することができる。
また請求項３では、制御手段が原稿搬送方向に対して千鳥格子状に配置した複数の密着イメージセンサに対応する照明手段の点灯を、同じ列に配置した密着イメージセンサ毎に点灯するように制御するので、より細かく点灯サイクルを分割でき照明に必要な電力を削減することができる。
【発明を実施するための最良の形態】
【０００６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係る画像読み取り装置のブロック図である。この画像読み取り装置１００は、原稿の挿入を検知する原稿挿入検知センサ１１と、原稿の先端及び後端を検知する原稿レジスト検知センサ１２と、一連のプロセスを実行制御するシステム制御基板２０と、このシステム制御基板２０に用紙幅の設定を行う操作手段としての操作部２２と、原稿の読み取り制御を行っている読み取り制御回路１５と、原稿搬送の信号を送っている駆動制御回路１３と、原稿搬送を行っているスキャナ駆動装置１４と、原稿の読み取りを行っている分割した密着イメージセンサ（以下、ＣＩＳ：Contact Image Sensorと記す）ＣＩＳ１６ａ〜ＣＩＳ１６ｅと、ＣＩＳのＬＥＤを点灯させるために電源を供給する電源装置１９と、を備えて構成されている。
図２は本発明の実施形態に係る画像読み取り装置の原稿読み取り部の構成を示す図である。同じ構成要素には同じ参照番号を付して説明する。この原稿読み取り部３０は原稿搬送方向（矢印３１）に対して千鳥格子状に配置された５つのＣＩＳ−Ａ１６ａ〜ＣＩＳ−Ｅ１６ｅと、原稿読み取り部３０のセンターに配置され、原稿を挿入したことを検知する原稿挿入検知センサ１１と、この原稿挿入検知センサ１１と同列に配置され、原稿の有無を検知する原稿レジスト検知センサ１２とを備えて構成されている。尚、この例ではセンターＰを中心に左右に等分に振り分けて読取るものとし、センターＰを原稿のサイズ基準とする。そしてセンターＰを中心に各原稿を縦方向（短い方を幅、長い方を長さとした場合の、幅方向から挿入した場合をいう）に読ませた場合のサイズを図示する。但し、Ａ３横方向とＡ２縦方向は同じサイズである。即ち、Ａ４サイズはＣＩＳ−Ｃ１６ｃにより照明され、Ａ３／Ａ２はＣＩＳ−Ｂ１６ｂ、ＣＩＳ−Ｃ１６ｃ、ＣＩＳ−Ｄ１６ｄにより照明され、それより大きいサイズは全てのＣＩＳにより照明される。
このように本発明の特徴は複数の密着イメージセンサＣＩＳ−Ａ１６ａ〜ＣＩＳ−Ｅ１６ｅを複数に分割して千鳥格子状に配置し、操作部２２から指定された原稿サイズに基づいて、分割した密着イメージセンサの照明を必要な部分だけ点灯するものである。これにより、無駄な照明を無くし照明に必要な電力を最小限にすることができる。
【０００７】
次に本実施形態の概略動作について図１を参照して説明する。オペレータが操作部２２で用紙幅を設定すると、システム制御基板２０内のＣＰＵ２１にて原稿幅を認識し、分割されたＣＩＳの電源供給を個別に制御する。そして、オペレータが、原稿を挿入口から挿入すると、原稿は原稿挿入検知センサ１１により、原稿が挿入されたことをシステム制御基板２０で認識し、スキャナ駆動装置１４により原稿を搬送する。搬送された原稿は、分割したＣＩＳ−Ａ１６ａ〜ＣＩＳ−Ｅ１６ｅの図示しないＬＥＤにより照射され、その反射光はＣＩＳ−Ａ１６ａ〜ＣＩＳ−Ｅ１６ｅに結像され、原稿画像情報が読み取られる。結像した原稿画像は電気信号に変換され、このアナログ信号は、読み取り制御回路１５で画像増幅回路により増幅され、Ａ／Ｄ変換回路により画像増幅回路で増幅されたアナログ信号を画素毎の多値デジタル信号に変換される。変換されたデジタル信号は、同期制御回路から光量ムラ、コンタクトガラスの汚れ、センサの感度ムラ等による歪を補正する。この補正されたデジタル画像情報は、画像処理回路１７でデジタル記録画像情報に変換された後、画像処理メモリ部１８に書き込まれる。
以上の動作の中でオペレータが操作部２２にて用紙幅を設定すると、システム制御基板２０内のＣＰＵ２１にて原稿幅を認織し、分割されたＣＩＳ−Ａ１６ａ〜ＣＩＳ−Ｅ１６ｅの電源供給を個別に制御して省電力化を図る。例えば、原稿サイズがＡ４の場合は、分割されたＣＩＳ−Ｃ１６ｃの照明だけＯＮして他の照明はＯＦＦするように制御される。これにより、無駄な照明を無くし照明に必要な電力を最小限にすることができる。
また本発明は照明手段の制御を簡略化するために、原稿の一辺の寸法が同じになるように方向を揃えて読取るものである。例えば、原稿サイズがＡ２とＡ３の場合、ＪＩＳ規格でＡ２は４２０ｍｍ×５９４ｍｍ、Ａ３は２９７ｍｍ×４２０ｍｍでＡ２の幅方向とＡ３の長さ方向が一致する。このように一致する方向を揃えて読取るようにすれば、異なるサイズの原稿を１種類の原稿サイズに対応する領域を照明することにより、異なるサイズの原稿を読取ることができる。
【０００８】
図３は本発明の第１の実施形態の動作フローチャートである。オペレータが操作部２２を操作して原稿幅を指定する（Ｓ１）、指定した原稿幅がＡ４であると（Ｓ２でＹＥＳのルート）ＣＩＳ−Ｃのみ点灯して（Ｓ３）読み取りを開始する（Ｓ４）。ステップＳ２で原稿幅がＡ４でない場合（Ｓ２でＮＯのルート）、原稿幅がＡ３或いはＡ２かをチェックし（Ｓ５）、認識した原稿幅がＡ３或いはＡ２であると（Ｓ５でＹＥＳのルート）ＣＩＳ−Ｂ、ＣＩＳ−Ｃ、ＣＩＳ−Ｄを点灯して（Ｓ６）読み取りを開始する（Ｓ７）。ステップＳ５で原稿幅がＡ３或いはＡ２でない場合（Ｓ５でＮＯのルート）、全てのＣＩＳを点灯して（Ｓ８）読み取りを開始する（Ｓ７）。
図４は図２の配置における原稿サイズと各ＣＩＳの照明手段の動作を示す図である。図中「×」は照明手段が「ＯＦＦ」を表し、「○」は照明手段が「ＯＮ」を表している。この図から原稿がＡ４サイズのときはＣＩＳ−Ｃの照明手段が「ＯＮ」でそれ以外の全ての照明手段が「ＯＦＦ」であり、原稿がＡ２／Ａ３サイズのときはＣＩＳ−Ｂ、ＣＩＳ−Ｃ、ＣＩＳ−Ｄの照明手段が「ＯＮ」で他は「ＯＦＦ」あり、原稿がそれ以上のサイズのときは照明手段全てが「ＯＮ」となる。
図５は本発明の原稿読み取り部の原稿レジストセンサの動作フローチャートである。この例では図２の構成で原稿サイズが最大の場合について説明する。まずオペレータが原稿を挿入して原稿が搬送されると、原稿の先端を原稿レジストセンサ１２が検出してＯＮとなる（Ｓ２１）。それによりＣＩＳを全点灯する（Ｓ２２）。そして原稿が搬送されて原稿画像が読込まれ、原稿レジストセンサ１２から抜けるとＯＦＦとなり（Ｓ２３）、その時点からタイマｘ、ｙをスタートしてｘ秒が経過すると（Ｓ２４）前列のＣＩＳ−Ａ、Ｃ、Ｅを消灯する（Ｓ２５）。その後、ｙ秒が経過すると（Ｓ２６）後列のＣＩＳ−Ｂ、Ｄを消灯する（Ｓ２７）。
このように本実施形態の密着イメージセンサは、所定の長さ単位で分割され、且つ原稿搬送方向に対して千鳥格子状に配列されている。この理由は、もし、直線状に配列した場合は、原稿サイズ単位での切替は可能であるが、それより細かい切替はできない。そこで本実施形態では、例えば細かく分割して２列の千鳥格子状に配列することにより、より細かく点灯サイクルを分割できるようにした。この制御は図７のようにタイマによる方法でも良いし、ステッピングモータを使用する場合は、そのステップパルスをカウントする方法でも構わない。
【図面の簡単な説明】
【０００９】
【図１】本発明の実施形態に係る画像読み取り装置のブロック図。
【図２】本発明の実施形態に係る画像読み取り装置の原稿読み取り部の構成を示す図。
【図３】第１の実施形態の動作フローチャート。
【図４】図２の配置における原稿サイズと各ＣＩＳの照明手段の動作を示す図。
【図５】本発明の原稿読み取り部の原稿レジストセンサの動作フローチャート。
【符号の説明】
【００１０】
１１  原稿挿入検知センサ、１２  原稿レジスト検知センサ、１３  駆動制御回路、１４  スキャナ駆動装置、１５  読み取り制御回路、１６  密着イメージセンサ、１７  画像処理回路、１８  画像処理メモリ部、１９  電源装置、２０  システム制御装置、２２  操作部、１００  画像読み取り装置
【図１】
2006067033.tif 000003
【図２】
2006067033.tif 000004
【図３】
2006067033.tif 000005
【図４】
2006067033.tif 000006
【図５】
2006067033.tif 000007